(57)【要約】【課題】ドライバを把持した片手による作業でビス及びワッシャをネジ穴に取り付けることができるばかりでなく、ビス及びワッシャを取り外す場合においてもビス等を手で押さえることなく片手でドライバを操作するだけでビス等を落下、散逸させずに取り外すことができるビスの脱落防止ホルダを提供する。【解決手段】ドライバを挿通する第１の開口４を一端面に有し、且つネジ穴３２と連通する第２の開口５を他端面に有したドライバ挿通穴３を備えたホルダ本体２と、先端部１１が第２の開口内に突出入自在となるように該ホルダ本体によりスライド自在に支持されると共に該第２の開口部内に突出したときに該先端部によりビスの雄螺子部を支持する保持部材１０と、を備えた。【選択図】図１
2009202306.tif 000002
【特許請求の範囲】
【請求項１】
取付け面に設けたネジ穴内にドライバを用いてビスを着脱する際に使用するビスの脱落防止ホルダであって、
ドライバを挿通する第１の開口を一端面に有し、且つ前記取付け面に添設させた状態で前記ネジ穴と連通する第２の開口を他端面に有したドライバ挿通穴を備えたホルダ本体と、先端部が前記第２の開口内に突出入自在となるように該ホルダ本体によりスライド自在に支持されると共に該第２の開口部内に突出したときに該先端部により前記ビスの雄螺子部を支持する保持部材と、を備えたことを特徴とするビスの脱落防止ホルダ。
【請求項２】
前記保持部材先端部に、前記ビスの雄螺子部を嵌合させる凹所を備えていることを特徴とする請求項１に記載のビスの脱落防止ホルダ。
【請求項３】
前記保持部材の先端部を前記第２の開口内に突出させる方向へ付勢する弾性部材を備えていることを特徴とする請求項１、又は２に記載のビスの脱落防止ホルダ。
【請求項４】
前記先端部を前記開口部内から退避させた状態で前記保持部材を係止するストッパを備えていることを特徴とする請求項３に記載のビスの脱落防止ホルダ。
【請求項５】
前記保持部材の先端部を前記第２の開口内から退避させる方向へ付勢する弾性部材を備えていることを特徴とする請求項１、又は２に記載のビスの脱落防止ホルダ。
【請求項６】
前記先端部を前記開口部内に突出させた状態で前記保持部材を係止するストッパを備えていることを特徴とする請求項５に記載のビスの脱落防止ホルダ。
【請求項７】
前記保持部材は可撓性を有した板材から成り、前記ホルダ本体に設けたガイド部により、略Ｌ字状の軌跡に沿って移動可能に支持されていることを特徴とする請求項１乃至６の何れか一項に記載のビスの脱落防止ホルダ。
【請求項８】
前記保持部材は、前記第２の開口の開口面と並行な直線状の軌跡に沿って移動可能に構成されていることを特徴とする請求項１乃至６の何れか一項に記載のビスの脱落防止ホルダ。
【請求項９】
前記保持部材の後端部側に設けた操作部を前記ホルダ本体側面から露出、又は突出させて手動操作可能に構成したことを特徴とする請求項１乃至８の何れか一項に記載のビスの脱落防止ホルダ。
【請求項１０】
前記ホルダ本体の少なくとも一部に透明部、又は開放部を設けてドライバ先端部とビスとの接触状態を目視可能としたことを特徴とする請求項１乃至９の何れか一項に記載のビスの脱落防止ホルダ。
【請求項１１】
前記保持部材の少なくとも先端部を永久磁石材料により構成したことを特徴とする請求項１乃至１０の何れか一項に記載のビスの脱落防止ホルダ。
【請求項１２】
前記ホルダ本体は、ドライバ挿通穴内に挿通された前記ドライバ外周面に接触してドライバのぶれを規制する規制部材を備えていることを特徴とする請求項１乃至１１の何れか一項に記載のビスの脱落防止ホルダ。
【発明の詳細な説明】
【技術分野】
【０００１】
本発明は、ドライバによって端子台等に設けたネジ穴にビスを着脱する際に、ビスやワッシャが脱落して周辺の電極に接触して短絡を起こしたり、散逸する不具合を解消することができるビスの脱落防止ホルダに関する。
【背景技術】
【０００２】
プリント配線基板に設けられる端子台や、各種機器に設けられる端子台に設けたネジ穴にワッシャを介してビスを螺着することによりケーブルの導体部分を接続したり、ビス及びワッシャをネジ穴から取り外す場合には、ドライバを用いた手作業が行われる。ビスの取付けに際しては一方の手の指先でビスを保持して雄螺子部先端部をネジ穴内に当接させた状態で、他の手で把持したドライバ先端をネジ頭部に当接させて螺着作業を行う。一方、ビスを取り外す際にはドライバによりビスを緩めてネジ穴から引出してから他方の手の指先にてビスを取り上げる作業を行う。
ドライバを用いたビスの着脱作業においては、ビスやワッシャが落下して周辺の電極に接触したり、散逸することが多い。
先端部を着磁してビス頭部を吸着させることによりビスの落下防止を図ったドライバも知られているが、使い勝手の良否に個人差があり、ビス頭部を十分に吸着させることができずに落下することも多々ある。特にワッシャを併用する場合にはドライバ先端によってワッシャまでも吸着させることはできないため、ワッシャを片手の指で保持し続けてビスから脱落しないようにする必要があった。ビス及びワッシャを取り外す場合にもワッシャはビスから脱落し易いため、十分な注意が必要となる。
特に、ビスのサイズが小型化すればする程、手作業によるビス及びワッシャの着脱作業は困難化し、ビスやワッシャが散逸したり、散逸したビス、ワッシャが近傍にある電気回路の導体部分に接触して短絡を起こすことも多々ある。
【０００３】
特開平０７−１３５２号公報「チューブ付きネジ回し」には、先端に切れ目を有した筒状のチューブをドライバの金属棒部分を包囲するように取付け、チューブ先端の弾力によってネジをドライバの先端に押え付けることにより、手でネジを押さえ付けなくてもネジの着脱が可能となる旨が開示されている。
しかし、この従来例にあってはドライバ先端よりも突出するチューブ先端部が障害となってネジをネジ穴に螺着することが困難になる。また、ワッシャを併用する場合にワッシャまでもチューブにより保持できるか否か不明である。また、螺着状態にあるネジを取り外す際にはネジ及びワッシャを片手で押さえ続けない限り散逸を防止できない、という問題がある。
特開２００１−１２７５公報「ねじ回しセット」には、ドライバの金属棒部分の外面に対してスライド自在に嵌着した軟質樹脂製筒状のネジ保持具の先端開口内にネジやワッシャを保持しつつ、ネジ頭部をドライバ先端部に当接させることにより、一方の手で把持したドライバを操作するだけでビスを螺着することができる旨が開示されている。
しかし、この従来例にあっても、螺着状態にあるネジを取り外す際にはネジ及びワッシャを片手で押さえ続けない限り散逸を防止できない、という問題がある。
【特許文献１】特開平０７−１３５２号公報
【特許文献２】特開２００１−１２７５公報
【発明の開示】
【発明が解決しようとする課題】
【０００４】
ドライバによってビスをネジ穴に螺着する作業性を高めるためにドライバ先端にビス頭部を当接させた状態で保持する手段が提案されてはいるが、螺着時の作業性に問題があったり、ドライバを用いてビス及びワッシャを取外す時に他の手で押さえない限りビス等が散逸し易いという問題があった。
本発明は上記事情に鑑みてなされたものであり、ドライバを把持した片手による作業でビス及びワッシャをネジ穴に取り付けることができるばかりでなく、ビス及びワッシャを取り外す場合においてもビス等を手で押さえることなく片手でドライバを操作するだけでビス等を落下、散逸させずに取り外すことができるビスの脱落防止ホルダを提供することを目的としている。
【課題を解決するための手段】
【０００５】
上記目的を達成するため、請求項１の発明は、取付け面に設けたネジ穴内にドライバを用いてビスを着脱する際に使用するビスの脱落防止ホルダであって、ドライバを挿通する第１の開口を一端面に有し、且つ前記取付け面に添設させた状態で前記ネジ穴と連通する第２の開口を他端面に有したドライバ挿通穴を備えたホルダ本体と、先端部が前記第２の開口内に突出入自在となるように該ホルダ本体によりスライド自在に支持されると共に該第２の開口部内に突出したときに該先端部により前記ビスの雄螺子部を支持する保持部材と、を備えたことを特徴とする。
ドライバの金属棒部を挿通するドライバ挿通穴の開口部内に突出入する保持部材を備えたので、この保持部材によってビス頭部を保持することが可能となる。このため、ビスの着脱作業中においてビスが脱落することがなくなる。
請求項２の発明は、請求項１において、前記保持部材先端部に、前記ビスの雄螺子部を嵌合させる凹所を備えていることを特徴とする。
保持部材先端部に凹所を設けたのでビス頭部を先端部上に安定して支持することができる。また、ビス頭部下面に保持部材先端部を差込み易くなる。
【０００６】
請求項３の発明は、請求項１、又は２において、前記保持部材の先端部を前記第２の開口内に突出させる方向へ付勢する弾性部材を備えていることを特徴とする。
保持部材先端部を第２の開口から退避させた状態から第２の開口内に突出させる手段として弾性部材を使用することにより操作性を高めることができる。
請求項４の発明は、請求項３において、前記先端部を前記開口部内から退避させた状態で前記保持部材を係止するストッパを備えていることを特徴とする。
保持部材を退避位置に保持するストッパを設けることにより、ストッパ解除操作によってワンタッチによって保持部材先端部を第２の開口内に突出させることができる。
【０００７】
請求項５の発明は、請求項１、又は２において、前記保持部材の先端部を前記第２の開口内から退避させる方向へ付勢する弾性部材を備えていることを特徴とする。
保持部材先端部を第２の開口内に突出させた状態から第２の開口外に退避させる手段として弾性部材を使用することにより操作性を高めることができる。
請求項６の発明は、請求項５において、前記先端部を前記開口部内に突出させた状態で前記保持部材を係止するストッパを備えていることを特徴とする。
保持部材を突出位置に保持するストッパを設けることにより、ストッパ解除操作によってワンタッチによって保持部材先端部を第２の開口外へ退避させることができる。
【０００８】
請求項７の発明は、請求項１乃至６の何れか一項において、前記保持部材は可撓性を有した板材から成り、前記ホルダ本体に設けたガイド部により、略Ｌ字状の軌跡に沿って移動可能に支持されていることを特徴とする。
ホルダ本体の側面から第２の開口までの略Ｌ字状の経路に沿う保持部材の移動経路に沿って保持部材を弾性変形させながら進退させることにより、レイアウト自由度を高めることができる。
請求項８の発明は、請求項１乃至６の何れか一項において、前記保持部材は、前記第２の開口の開口面と並行な直線状の軌跡に沿って移動可能に構成されていることを特徴とする。
保持部材の移動経路を最短距離に設定することができる。
【０００９】
請求項９の発明は、請求項１乃至８の何れか一項において、前記保持部材の後端部側に設けた操作部を前記ホルダ本体側面から露出、又は突出させて手動操作可能に構成したことを特徴とする。
請求項１０の発明は、請求項１乃至９の何れか一項において、前記ホルダ本体の少なくとも一部に透明部、又は開放部を設けてドライバ先端部とビスとの接触状態を目視可能としたことを特徴とする。
ドライバ先端部をビス頭部との状態を目視することにより操作性を高めることができる。
【００１０】
請求項１１の発明は、請求項１乃至１０の何れか一項において、前記保持部材の少なくとも先端部を永久磁石材料により構成したことを特徴とする。
ビス、ワッシャが磁性体である場合には保持部材先端部によってこれらを吸着保持できる。
請求項１２の発明は、請求項１乃至１１の何れか一項において、前記ホルダ本体は、ドライバ挿通穴内に挿通された前記ドライバ外周面に接触してドライバのぶれを規制する規制部材を備えていることを特徴とする。
ドライバの操作安定性を高めることができる。
【発明の効果】
【００１１】
以上のように本発明によれば、ドライバを挿通する第１の開口を一端面に有し、且つネジ穴と連通する第２の開口を他端面に有したドライバ挿通穴を備えたホルダ本体と、先端部が第２の開口内に突出入自在となるように該ホルダ本体によりスライド自在に支持されると共に該第２の開口部内に突出したときに該先端部によりビスの雄螺子部を支持する保持部材と、を備えたので、ドライバを把持した片手による作業でビス及びワッシャをネジ穴に取り付けることができるばかりでなく、ビス及びワッシャを取り外す場合においてもビス等を手で押さえることなく片手でドライバを操作するだけでビス等を落下、散逸させずに取り外すことができるビスの脱落防止ホルダを提供することができる。
ドライバによってビス、ワッシャをネジ穴に取り付ける際に、ホルダ内の保持部材上にビス、ワッシャをセットした上でビス先端部をネジ穴に当接しからドライバによって締結するので、ビス、ワッシャの脱落が防止される。ビスを外す際にも同様に保持部材がビス等の散逸を防止する。
弾性部材やストッパを併用して保持部材の動作をワンタッチ操作とすることにより作業性を高めることができる。
【発明を実施するための最良の形態】
【００１２】
以下、本発明を図面に示した実施の形態により詳細に説明する。
図１（ａ）乃至（ｄ）は本発明の一実施形態に係るビスの脱落防止ホルダの外観斜視図、使用状態を示す縦断面図、斜視透視図、及び平面横断面図である。
本発明のビスの脱落防止ホルダ（以下、ホルダ、という）１は、端子台等３０の取付け面３１に設けたネジ穴３２内にドライバ４０を用いてビス２０を螺着したり、螺着されたビス２０を取り外す際に使用する手段である。なお、ビス２０と共にワッシャ２１が併用される場合は、ホルダ１は雄螺子部にワッシャを挿通したビスを保持してドライバによる着脱作業を行い易いように機能する。
【００１３】
ホルダ１は、上下方向に貫通するドライバ挿通穴３を備えたホルダ本体２と、先端部が第２の開口５内に横方向から突出入自在となるようにホルダ本体２によりスライド自在に支持されると共に第２の開口内に突出したときに先端部１１によりビスの雄螺子部を支持する保持部材１０と、を備えている。ドライバ挿通穴３は、ドライバ４０の金属棒部４１を挿入する第１の開口４を一端に有し、且つホルダ本体２の先端面を取付け面３１に添設させた状態でネジ穴３２と連通する第２の開口５を他端に有している。
ドライバ４０の金属棒部４１をドライバ挿通穴３内に差し込んだ際にドライバ４０の把持部４２はホルダ本体２の外側に位置しているため、把持部４２を手で把持した作業が可能となる。ホルダ本体２の第２の開口５側を端子台の取付け面３１に添設してネジ穴３２を第２の開口５内に位置させた状態でビス先端部をネジ穴３２内に位置決めし、保持部材１０によって保持されたビス２０の頭部にドライバ先端を当接させて回転させることによりビスを螺着することができる。
保持部材１０の先端部１１には、ビス２０の雄螺子部を嵌合させる凹所１１ａを設けることにより、ビスの頭部下面を安定して保持し易くなる。ビス２０とワッシャ２１を併用する場合には、ワッシャ２１の下面を先端部１１の上面にて支持することとなる。
【００１４】
この実施形態に係るホルダにおいては、保持部材１０は金属、樹脂等の可撓性を有した板材から成り、ホルダ本体２に設けたガイド部（ガイド溝等）６により、略Ｌ字状の軌跡に沿って移動可能に支持されている。板部材としての保持部材１０は、第２の開口５内に横方向から出没する先端部１１と、先端部１１から後方へ延びてガイド部６によりガイドされる部分と、ホルダ本体２の側面に形成した開口部２ａから外部に突出（或いは露出）した操作部１２と、を有している。操作部１２は指により押圧操作し易い突起状の形状を有しており、操作部１２を押し下げることにより先端部１１が第２の開口５内に突出してビスを保持可能な状態となり、引き戻すことにより先端部１１が第２の開口５から退避してビスを保持しない状態となる。
保持部材１０の先端部１１が第２の開口５の開口面に沿って移動する経路は図示のように第２の開口５（ホルダ本体２の下面）に沿った位置であってもよいし、少しく上方に退避した位置であっても良い。いずれにしても先端部１１が第２の開口５内に横方向から突出したときにビスの頭部下面、或いはワッシャ下面を先端部上面で保持し得るように設定する。
保持部材１０は人手による操作により押し下げたり、引き戻すようにしてもよいし、弾性部材１３によって保持部材の先端部１１を第２の開口５内に突出させる方向へ常時付勢するように構成したり、逆に弾性部材１３によって先端部１１を第２の開口から退避させる方向へ付勢するように構成してもよい。
【００１５】
弾性部材１３は例えば図１（ａ）（ｂ）に示した如く、保持部材１０の内側適所に設けたバネ支持部１４とホルダ本体２の上部との間に配置する。
弾性部材１３として圧縮方向へ付勢する引張りバネを用いることにより保持部材１０の先端部１１を退避方向へ常時付勢することができる。この場合、保持部材先端部を第２の開口５内に突出させた状態（弾性部材を拡開させた状態）で保持部材を係止したり係止を解除するストッパ（係止、及び係止解除手段）を適所に設けておき、ストッパを解除した場合に弾性部材１３の圧縮力により保持部材先端部が第２の開口内から退避するように構成するのが好ましい。
また、逆に、弾性部材として拡開方向へ付勢する圧縮バネを用いることにより保持部材１０の先端部を常時突出方向へ付勢することができる。この場合、保持部材先端部を第２の開口内から退避させた状態（弾性部材を圧縮させた状態）で保持部材を係止するストッパを適所に設けておき、ストッパを解除した場合に弾性部材の拡開力によって保持部材先端部が第２の開口５内に突出するように構成するのが好ましい。
ストッパは、例えば保持部材後端部に設けた環状の操作部１２内に突出入する係止部材であってもよい。
【００１６】
次に、図２は本発明のホルダ１を利用して端子台のネジ穴にビス及びワッシャを螺着する手順を説明する図である。
まず、螺着作業に先立ち、図２（ａ）（ｂ）に示すように保持部材１０を下降させることにより先端部１１を第２の開口５内に突出させておき、第１の開口４から差し込んだビス２０の雄螺子部を凹所１１ａ内に嵌合させておく。なお、ワッシャ２１を併用する場合には、ワッシャの中心孔をビスの雄螺子部に挿通させた状態で、該雄螺子部を先端部１１の凹所１１ａ内に嵌合させておく。
この状態で図１（ｂ）のようにホルダ１を端子台３０の取付け面３１上に着座させ、次いでビス先端をネジ穴３２内に対応させた状態で第１の開口４から差し込んだドライバ４０の先端部をネジ頭部の溝に差し込んでからドライバを回転させることにより螺着を開始する（図２（ｃ））。その後、保持部材１０を引き上げて先端部１１を第２の開口部内から十分に退避させてから螺着を完了し、ホルダ１及びドライバ４０を端子台面から取り外す。このような過程においてビスやワッシャは保持部材の先端部により保持されているため、脱落、散逸することはない。
なお、ドライバによる締め付けによってある程度ビスの螺着が進行した時点でホルダ１を端子台から外し、ドライバのみによる締め付けを行うようにしてもよい。
【００１７】
次に、図３は本発明のホルダ１を利用して端子台のネジ穴に螺着されたビス及びワッシャを取り外す手順を説明する図である。
まず、取外し作業に先立ち、保持部材１０を上昇させることにより先端部１１を第２の開口５内から退避させておく。この状態で図３（ａ）のようにホルダ１を端子台の取付け面３１上に着座させ、次いで第１の開口４から差し込んだドライバの先端部をネジ頭部の溝に差し込んでからビス抜き方向へ回転させることによりビス外しを開始する（図３（ｂ））。ビス２０及びワッシャ２１が取付け面３１から僅かに浮上した段階で保持部材１０を下降させて先端部の凹所１１ａ内にビスの雄螺子部を嵌合させる。この際にワッシャ下面も先端部上に支持される。続いて、ドライバによる操作を継続し、ビスをネジ穴から離脱させることにより取外しが完了する（図３（ｃ））。この取外し過程においてビスやワッシャは保持部材により保持されているため脱落、散逸することはない。
なお、ドライバによる作業によってある程度ビスの離脱が進行した時点でホルダを端子台から外し、ドライバのみによる取外しを行うようにしてもよい。
【００１８】
本発明によれば、ドライバを把持した片手による作業でビス及びワッシャをネジ穴に取り付けることができるばかりでなく、ビス及びワッシャを取り外す場合においてもビス等を手で押さえることなく片手でドライバを操作するだけでビス等を落下、散逸させずに取り外すことができる。
また、保持部材として弾性変形可能な板材を使用することにより、ホルダ本体内における保持部材の移動経路に係るレイアウト自由度を高めることが可能となる。
なお、ホルダ本体２の形状は、図１の如き四角柱状以外の多角柱形状であってもよいし、図４に示すように一部、又は全部がテーパー形状であってもよい。
【００１９】
次に、図５（ａ）及び（ｂ）は本発明のホルダの変形例を示す外観斜視図、及び縦断面図であり、この実施形態に係る保持部材１０は、第２の開口５の開口面と並行な直線状の軌跡（最短の移動経路）に沿って移動可能に構成されている点が特徴的である。即ち、保持部材１０は、先端部１１に図示しない凹所を有した板材であり、ホルダ本体２の側面下部に形成したスリット２ｂ内に差し込まれて、第２の開口５の開口面と並行な経路にて進退可能に構成されている。ホルダ本体２内には保持部材１０を上記経路に沿って安定してガイドするガイド部を設ける。
保持部材１０の外側端部には操作部１２が設けられており、操作部１２を指によって押し込んだり、引き出すことによって、保持部材先端部１１を第２の開口５内に出没させることができる。また、弾性部材１３（トーションバネ）によって保持部材を第２の開口内に突出させる方向へ付勢したり、或いは第２の開口内から退避させる方向へ付勢するようにしてもよい。また、弾性付勢される保持部材を弾性部材の付勢力に抗した位置に停止させるストッパ（係止及び係止解除手段）を配置してもよい。
【００２０】
また、上記した各実施形態において、保持部材１０の少なくとも先端部１１を永久磁石材料により構成することにより、磁性体から成るビスやワッシャを吸着保持できるように構成しておけば、ビス等の落下、散逸を有効に防止することができる。
また、ホルダ本体２のドライバ挿通穴３内に挿通されたドライバ外周面に接触してドライバの横方向移動を規制してドライバのぶれを防止する規制部材を設けても良い。この規制部材は、例えばドライバ挿通穴３内に配置される円筒状の部材である。
更に、ホルダ本体２の少なくとも一部に透明部、又は開放部を設けてドライバ先端部とビスとの接触状態を目視できるように構成してもよい。
【００２１】
本発明のホルダを用いてドライバによりビスを着脱する際には、片手でホルダ１を把持して端子台上に当接させながら、他方の手でドライバを操作することとなるが、片手の掌、或いは指によってホルダ１を把持し易くするためにホルダの長さ、外面形状を適当に設定する。
また、端子台側に複数個のネジ穴が等ピッチで配置されている場合には、各ネジ穴に対応した複数個のホルダを連結したホルダユニットを作成しておき、一つのホルダユニットに設けた各ドライバ挿通穴内にドライバを差し込んで螺着、或いは取り外しのための操作を行えるようにすれば便利である。
また、ドライバ挿通穴内にドライバを予め回転自在に軸支しておいてもよい。
【図面の簡単な説明】
【００２２】
【図１】（ａ）乃至（ｄ）は本発明の一実施形態に係るビスの脱落防止ホルダの外観斜視図、使用状態を示す縦断面図、斜視透視図、及び平面横断面図である。
【図２】（ａ）（ｂ）及び（ｃ）は本発明のホルダを利用して端子台のネジ穴にビス及びワッシャを螺着する手順を説明する図である。
【図３】（ａ）（ｂ）及び（ｃ）は本発明のホルダを利用して端子台のネジ穴に螺着されたビス及びワッシャを取り外す手順を説明する図である。
【図４】本発明のホルダの変形例を示す図である。
【図５】（ａ）及び（ｂ）は本発明のホルダの変形例を示す外観斜視図、及び縦断面図である。
【符号の説明】
【００２３】
１…ホルダ、２…ホルダ本体、２ａ…開口部、２ｂ…スリット、３…ドライバ挿通穴、４…第１の開口、５…第２の開口、６…ガイド部、１０…保持部材、１１…先端部、１１ａ…凹所、１２…操作部、１３…弾性部材、１４…バネ支持部、２０…ビス、２１…ワッシャ、３０…端子台、３１…取付け面、３２…ネジ穴、４０…ドライバ、４１…金属棒部、４２…把持部
【図１】
2009202306.tif 000003
【図２】
2009202306.tif 000004
【図３】
2009202306.tif 000005
【図４】
2009202306.tif 000006
【図５】
2009202306.tif 000007